(57)【要約】【課題】  ポリオレフィン系樹脂発泡シートと不織布との複合シートからなる床下地材であって、優れた防音性能を備えていると共に接着性の悪いポリオレフィン系樹脂発泡シートを床スラブ等の土台上に確実且つ強固に接着が行える床下地材を提供する。【解決手段】  ポリオレフィン系樹脂発泡シート１上に不織布２を積層し、この不織布２からポリオレフィン系樹脂発泡シート１の下面にまで貫通した多数の微細孔からなる小径吸音孔３をニードルパンチにより穿設して不織布２の一部を小径吸音孔３内に押し込むことによりこの小径吸音孔３内の繊維部2aによってポリオレフィン系樹脂発泡シート１と不織布２とを接着することなく積層、一体化していると共に吸音性能を向上させ、さらに、小径吸音孔３の開口下端から不織布繊維の一部を突設させてこの繊維により土台との接着を確実且つ強固にしている。【選択図】    図５
2009167672.tif 000002
【特許請求の範囲】
【請求項１】
不織布とポリオレフィン系樹脂発泡シートとを上下に重ね合わせた複合シートからなる防音床下地材であって、ポリオレフィン系樹脂発泡シートに上下面間に亘って貫通した多数の小径吸音孔が設けられていると共に、上記不織布の繊維の一部が各小径吸音孔に充填されていてこの繊維により不織布とポリオレフィン系樹脂発泡シートとが接着剤によることなく積層、一体化してあり、さらに、ポリオレフィン系樹脂発泡シートの下面に開口している小径吸音孔の開口端から不織布繊維の一部を外部に突出させていることを特徴とする防音床下地材。
【請求項２】
ポリオレフィン系樹脂発泡シートはポリエチレン樹脂独立気泡発泡シートからなり、床スラブ等の土台に面する下面を凹凸面に形成していると共にこの凹凸面から下方に向かって小径吸音孔の下端を開口させていることを特徴とする請求項１に記載の防音床下地材。
【発明の詳細な説明】
【技術分野】
【０００１】
本発明は、防音性能を有するシート材からなる防音床下地材に関する。
【背景技術】
【０００２】
従来から、集合住宅や戸建て住宅等の建物において床材を敷設するに際し、床材上に生じる衝撃音等が階下等に伝播するのを防止するために、床材の下面に防音性を有する床下地材を敷設している。このような床下地材としては、クッション性に優れたポリエチレン発泡シートやウレタン、圧縮ウレタン、不織布、発泡ゴム等からなり、防音性能を向上させるために、多数の微細な貫通孔や凹凸を形成してなるシートが広く採用されている。
【０００３】
例えば、特許文献１に記載されているように、多数の微細な貫通孔を設けているエチレン系樹脂独立気泡発泡シートと不織布とを重ね合わせて接着剤により一体に積層、接着してなる防音床下地シートが知られている。
【０００４】
【特許文献１】特開平１１−２２１６８号公報
【発明の開示】
【発明が解決しようとする課題】
【０００５】
エチレン系樹脂独立気泡発泡シートなどの独立気泡発泡シートは、連続気泡発泡シートに比べて荷重等によるへたりが生じ難いために、床下地材として強度の面においては適しているが、連続気泡発泡シートや不織布に比べて吸音率が極めて低いという欠点がある。連続気泡発泡シートや不織布、或いは、グラスウール等のような多孔質性の材料は、入射した音のエネルギーがこの材料中を通過する時に熱エネルギーに変換されて減少、消失するために優れた吸音機能を発揮することができるが、独立気泡発泡シートにおいてはこのような性質を備えていないために、上述したように多数の微細な貫通孔を穿設して連続気泡化し、この貫通孔により吸音作用を奏するように構成している。
【０００６】
しかしながら、独立気泡発泡シートに多数の微細な貫通孔を穿設しても、このシート単体では床下地材としての防音性能に限界があり、そのため、上記特許文献１に記載されているように、この独立気泡発泡シートに不織布を積層接着しているが、独立気泡発泡シートと不織布とを接着すると、その接着剤層によって吸音率が低下して厚みを想定以上にしなければ床下地材としての防音性能の確保が困難であるといった問題点がある。
【０００７】
さらに、上記エチレン系樹脂独立気泡発泡シートなどのポリオレフィン系樹脂発泡シートは接着剤との相性が悪いために、このポリオレフィン系樹脂発泡シートに上記不織布を積層接着する際には、その表面にコロナ放電処理を施しておかなければ接着不良が生じるといった問題点がある。また、ポリオレフィン系樹脂発泡シートを床スラブなどの土台上に接着する場合においても、その接着が困難となるため、このポリオレフィン系樹脂発泡シートの裏面に、土台に対して容易に接着ができるように長繊維不織布やウレタン等の他素材を接着しておく必要が生じるが、そうすると上述したように、床下地材としての防音性能の確保が困難となる。
【０００８】
本発明はこのような問題点に鑑みてなされたもので、その目的とするところは、床下地材としてポリオレフィン系樹脂発泡シートと不織布との複合シートを採用しているにもかかわらず、床下地材としての優れた防音性能を確保すると共に床スラブ等の土台上に対する接着も確実に行える防音床下地材を提供するにある。
【課題を解決するための手段】
【０００９】
上記目的を達成するために本発明の防音床下地材は、請求項１に記載したように、不織布とポリオレフィン系樹脂発泡シートとを上下に重ね合わせた複合シートからなる防音床下地材であって、ポリオレフィン系樹脂発泡シートに上下面間に亘って貫通した多数の小径吸音孔が設けられていると共に、上記不織布の繊維の一部が各小径吸音孔に充填されていてこの繊維により不織布とポリオレフィン系樹脂発泡シートとが接着剤によることなく積層、一体化してあり、さらに、ポリオレフィン系樹脂発泡シートの下面に開口している小径吸音孔の開口端から不織布繊維の一部を外部に突出させた構造を有している。
【００１０】
このように構成した防音床下地材において、請求項２に係る発明は、上記ポリオレフィン系樹脂発泡シートはポリエチレン樹脂独立気泡発泡シートからなり、床スラブ等の土台に面する下面を凹凸面に形成していると共にこの凹凸面から下方に向かって小径吸音孔の下端を開口させていることを特徴とする。
【発明の効果】
【００１１】
請求項１に係る発明によれば、不織布とポリオレフィン系樹脂発泡シートとを上下に重ね合わせた複合シートからなる防音床下地材であって、ポリオレフィン系樹脂発泡シートに上下面間に亘って貫通した多数の小径吸音孔が設けられていると共に、上記不織布の繊維の一部が各小径吸音孔に充填されていてこの繊維により不織布とポリオレフィン系樹脂発泡シートとが接着剤によることなく積層、一体化しているので、接着剤との相性の悪くて不織布等との接着が困難なポリオレフィン系樹脂発泡シートを採用しているにもかかわらず、多数の小径吸音孔に充填されている不織布繊維によりこのポリオレフィン系樹脂発泡シートと不織布とを強固に積層、一体化させた床下地材を構成することができ、ポリオレフィン系樹脂発泡シートと不織布との接合面には接着剤層が設けられていないから、小径吸音孔と不織布とによる吸音機能を効果的に発揮させることができて、防音性に優れた床下地材を提供することができる。
【００１２】
さらに、ポリオレフィン系樹脂発泡シートに貫通している上記多数の小径吸音孔内に充填されている不織布繊維によって小径吸音孔内に微細な多層の空隙が形成されているので、衝撃音がこの微細な空隙を通過する際に、周囲との摩擦によってその音エネルギーを熱エネルギーに円滑に変換して吸音することができ、小径吸音孔と共に吸音性に相乗効果を奏して不織布と共に吸音能力を一層向上させることができる。
【００１３】
その上、不織布繊維が押し込まれている多数の小径吸音孔による吸音性能と不織布自体の吸音能力との相乗効果に加えて、上述したように、ポリオレフィン系樹脂発泡シートと不織布との接合面には接着剤層が設けられていないから、接着剤の硬化による制振性の低下も抑えることができ、従って、同じ厚みにおける透過防音性（ＪＩＳ  Ａ１４４０に準拠して測定されたＬＬ−値）を向上させることができる。
【００１４】
また、上記不織布とポリオレフィン系樹脂発泡シートとの複合シートよりなる防音床下地材を床スラブ等の土台上に敷設する際に、この防音床下地材は柔軟性とクッション性を備えているために、床スラブ等の不陸になじみやすくて容易に敷設することができるのは勿論、ポリオレフィン系樹脂発泡シートに貫設している上記多数の小径吸音孔の下端開口部から上記不織布繊維の一部を外部に突出させているので、ポリオレフィン系樹脂発泡シートの下面に接着不良をなくすためのコロナ放電処理を行うことなく、小径吸音孔から突出した不織布繊維に接着剤を付着、浸透させてスラブ等の敷設面に床下地材を容易に且つ確実に接着させることができる。
【００１５】
請求項２に係る発明によれば、上記ポリオレフィン系樹脂発泡シートはポリエチレン樹脂独立気泡発泡シートからなるので、連続気泡発泡シートのようなへたりを生じることなく長期に亘って床下地材としての機能を発揮することができるのは勿論、このポリオレフィン系樹脂発泡シートの下面を凹凸面に形成しているので、床下地材として良好な緩衝性、クッション性を発揮することができ、さらに、凹凸面によってポリオレフィン系樹脂発泡シートの下面に溝状の空間部が平面方向に縦横に形成されているので、この溝状空間部における溝底面から下方に開口している小径吸音孔を通過してこの溝状空間部内に入った音は、該溝状空間部内で拡散すると共に溝壁で乱反射しながら空気層を振動させ、さらに、周囲との摩擦によってその音のエネルギーを熱エネルギーに変換させられて、溝状空間部内で効果的に吸音、減衰させることができる。
【発明を実施するための最良の形態】
【００１６】
次に、本発明の具体的な実施の形態を図面について説明すると、図１は防音床下地材の一部切欠き簡略斜視図、図２はその拡大縦断面図であって、この防音床下地材は、ポリエチレン、ポリプロピレン等のポリオレフィン系樹脂発泡シート１と、このポリオレフィン系樹脂発泡シート１の上面に重ね合わせて一体に層着している不織布２との複合シートからなり、さらに、不織布２の上面からポリオレフィン系樹脂発泡シート１の下面に貫通した多数の微細孔からなる小径吸音孔３を縦横に小間隔毎に穿設してあり、全ての小径吸音孔３の下端をポリオレフィン系樹脂発泡シート１の下面に開口させている。
【００１７】
また、これらの小径吸音孔３内には上記不織布２の繊維の一部が押し込まれていて充填繊維部2aに形成してあり、この充填繊維部2aによってポリオレフィン系樹脂発泡シート１と不織布２とを接着剤によることなく積層、一体化していると共に、充填繊維部2aの下端部を小径吸音孔３の開口下端から上記ポリオレフィン系樹脂発泡シート１の下面よりも下方に突出させて突出繊維部2bに形成している。なお、ポリオレフィン系樹脂発泡シート１にその上下面間に貫通した多数の小径吸音孔３を穿設し、この小径吸音孔３に上記不織布２の繊維を充填させ、この繊維の下端部をポリオレフィン系樹脂発泡シート２の下面から下方に突出した突出繊維部2bに形成しておいてもよい。
【００１８】
上記ポリオレフィン系樹脂発泡シート１としては、連続気泡発泡シートを使用することも可能であるが、床下地材として要求される強度面を考慮して独立気泡発泡シートを採用してあり、独立気泡発泡シートは連続気泡発泡シートに比べて吸音性が極めて劣るために上述したように、多数の微細孔からなる小径吸音孔３を穿設している。また、このポリオレフィン系樹脂発泡シート１の上面に積層した不織布２としては、木質繊維等の天然繊維やガラスウールを使用することも可能であるが、この実施の形態においてはポリプロピレンやポリエステル等の細径で柔軟性に富んだ合成樹脂繊維を交絡させてなる不織布を採用している。この場合、不織布は短繊維、長繊維の何れも使用可能で、その目付けが２０〜５００ｇ／ｍ2であることが好ましく、繊維の太さは、３デニール以上が好ましく、５〜１０デニールがより好ましい。
【００１９】
なお、このポリオレフィン系樹脂発泡シート１と不織布２との複合シートよりなる防音床下地材の厚みは特に限定されないが、床下地材として実用的に使用可能にするには1.0 〜10.0mmの厚みに形成しておけばよい。また、この防音床下地材の面積に対する小径吸音孔３の開口率も床下地材としての強度と吸音性等がバランスするように設定すればよい。また、ポリオレフィン系樹脂発泡シート１の発泡倍率や独立気泡率も特に限定されないが、ポリオレフィン系樹脂発泡シートの発泡倍率は５〜５０倍が好ましく、また、小径吸音孔が穿設された後のポリオレフィン系樹脂発泡シートのＡＳＴＭ  Ｄ２８５６に準拠して測定された独立気泡率は２０〜６０％が好ましい。
【００２０】
このように構成した防音床下地材を製造するには、図３に示すように、ポリオレフィン系樹脂発泡シート１の上面（表面）をコロナ放電処理することなく、この上面に不織布２を直接、重ね合わせたのち、下面に床下地材の厚みよりも突出長さが長い多数の小径ニードル５を突設している型板４を不織布２の上方からこの不織布２に押し付けて図４に示すように、そのニードル５を不織布２の上面からポリオレフィン系樹脂発泡シート１の下面にまで貫通させることによって行われる。
【００２１】
この際、不織布２の上面からポリオレフィン系樹脂発泡シート１の下面を貫通するまで突き刺したニードル５によってポリオレフィン系樹脂発泡シート１に上記微細孔からなる小径吸音孔３が形成されると共に、不織布２の繊維の一部がニードル５の突き刺し時に、該ニードル５と共にこのニードル５によって穿設される小径吸音孔３内に押し込まれて該小径吸音孔５内に図２に示すように、上記充填繊維部2aが設けられると共に、小径吸音孔３から下方に突出したニードル５の先端部によって充填繊維部2aの下端部が小径吸音孔３の開口下端から下方に押し出されて上記突出繊維部2bが設けられる。なお、ニードル５として、その太さ（直径）が０．１〜５．０ｍｍのものを使用することが好ましく、ニードル孔数（穿孔密度）が３〜５０個／ｃｍ2となるように穿設することが好ましい。
【００２２】
図５はこの防音床下地材の施工例を示すもので、スラブ等の土台６の上面に接着剤７を介して該防音床下地材におけるポリオレフィン系樹脂発泡シート１を敷設し、このポリオレフィン系樹脂発泡シート１の下面を該接着剤７によって土台６上に固着している。この際、ポリオレフィン系樹脂発泡シート１の下面にはコロナ放電処理等が施されていないので土台６との接着性が悪いが、このポリオレフィン系樹脂発泡シート１には多数の小径吸音孔３が設けられていてこれらの小径吸音孔３内を通じて不織布繊維の一部がポリオレフィン系樹脂発泡シート１の下面から下方に突出しているので、この突出繊維部2bに接着剤７が付着、浸透した状態で固化してポリオレフィン系樹脂発泡シート１を土台６上に強固に固着させることができる。
【００２３】
なお、上記防音床下地材としては、具体的に、厚さが３．３ｍｍのポリプロピレン系樹脂発泡シート１上に目付けが２００ｇ／ｍ2の不織布を重ね合わせ、太さが２．５ｍｍのニードル５によってニードル孔数（穿孔密度）が８個／ｃｍ2となるように小径吸音孔５を穿設し且つ小径吸音孔５を穿設した後のポリプロピレン系樹脂発泡シートの独立気泡率が４０％である厚さが６．０ｍｍの下地材を挙げることができる。
【００２４】
こうして土台６上に防音床下地を施工したのち、この防音床下地材における不織布２上に接着剤８を介して床材９を施工する。この際、床材９の下面全面に接着剤８を塗布することなく、複数条の線状或いは均等に散在した点状に接着剤８を塗布しておいても、不織布２の繊維に該接着剤８を確実に付着、浸透させて強固に固着させることができる。
【００２５】
そして、このように施工された床構造において、床材９上に物品が落下した場合等によって衝撃音が発生すると、その音がまず、防音床下地材における上層側の不織布２によって吸収、減衰されると共にさらに該不織布２から防音床下地材の下層を形成しているポリオレフィン系樹脂発泡シート１に設けた多数の微細孔よりなる小径吸音孔３を通過中に該小径吸音孔３と、この小径吸音孔３内に押し込まれている不織布繊維の一部からなる充填繊維部2aとによって効率よく吸音され、その上、ポリオレフィン系樹脂発泡シート１と不織布２との重ね合わせ面には接着剤層が設けられていないから、接着剤の硬化による制振性も抑えることができ、従って、階下等への衝撃力の伝播を効果的に抑制することができる。
【００２６】
図６は本発明の別な実施例を示すもので、ポリエチレン樹脂独立気泡発泡シートからなるポリオレフィン系樹脂発泡シート１と不織布２との複合シートからなり、不織布２の上面から上記ポリオレフィン系樹脂発泡シート１の下面に貫通した多数の微細孔からなる小径吸音孔３を縦横に小間隔毎に穿設していると共に、全ての小径吸音孔３の下端をポリオレフィン系樹脂発泡シート１の下面に開口させてあり、さらに、これらの小径吸音孔３内に上記不織布２の繊維の一部が押し込まれていて充填繊維部2aに形成し、この充填繊維部2aによってポリオレフィン系樹脂発泡シート１と不織布２とを接着剤によることなく積層、一体化していると共に、充填繊維部2aの下端部を小径吸音孔３の開口下端から上記ポリオレフィン系樹脂発泡シート１の下面よりも下方に突出させて突出繊維部2bに形成している点においては上記実施例と同じであるが、ポリオレフィン系樹脂発泡シート１の下面をエンボス加工により凹凸面1aに形成しているものである。
【００２７】
このように構成した防音床下地材によれば、上記実施例で示した防音床下地材が奏する作用効果に加えて、ポリオレフィン系樹脂発泡シート１の下面を凹凸面1aに形成しているので、床下地材として良好な緩衝性、クッション性を発揮することができるばかりでなく、凹凸面1aによってポリオレフィン系樹脂発泡シート１の下面に平面方向に縦横に連なる溝状の空間部10が形成されてあり、不織布２の上面からポリオレフィン系樹脂発泡シート１の下面に貫通している上記多数の小径吸音孔３において、この溝状空間部10の溝底面、或いは、溝の側壁面にその下端開口部を貫通させている小径吸音孔３にあっては、衝撃音が不織布２側からこの小径吸音孔３内を通過した際に、上記溝状空間部10内で拡散して溝壁で乱反射しながら溝内の空気層を振動させ、さらに、周囲との摩擦によってその音のエネルギーを熱エネルギーに変換させられて、溝状空間部内でさらに効果的に吸音、減衰させることができる。
【００２８】
なお、この防音床下地材の製造方法は、上記実施例と同じくポリオレフィン系樹脂発泡シート１の上面に不織布２を重ね合わせてなる複合シートを、下面に床下地材の厚みよりも突出長さが長い多数の小径ニードル５を突設している型板４によってニードルパンチを施すことにより得ることができる。
【００２９】
また、ニードルパンチによることなくレーザなどによりポリオレフィン系樹脂発泡シート１に直接、上記多数の小径吸音孔３を穿設しておき、ポリオレフィン系樹脂発泡シート１の下面側から吸気によって不織布２の繊維の一部を小径吸音孔３に吸入、充填させ、その一部を小径吸音孔３から下方に突出する突出繊維部2bとしてもよい。
【図面の簡単な説明】
【００３０】
【図１】防音床下地材の一部切欠き簡略斜視図。
【図２】その拡大縦断面図。
【図３】製造方法を示す縦断側面図。
【図４】ニードルパンチを施した状態の縦断側面図。
【図５】施工状態を示す縦断側面図。
【図６】本発明の別な実施の形態を示す縦断側面図。
【符号の説明】
【００３１】
１  ポリオレフィン系樹脂発泡シート
２  不織布
2a  充填繊維部
2b  突出繊維部
３  小径吸音孔
【図１】
2009167672.tif 000003
【図２】
2009167672.tif 000004
【図３】
2009167672.tif 000005
【図４】
2009167672.tif 000006
【図５】
2009167672.tif 000007
【図６】
2009167672.tif 000008